(57)【要約】【課題】人目に付き易く日本全国いたるところにある既存の飲料用自動販売機に、僅かな設定変更で携帯電話のバッテリー切れに対応の携帯電話用の充電器を販売できるようにして、多数の販売拠点を確保し、上記充電器を手軽に確保できる自動販売機を提供する。【解決手段】機体２内に複数の商品収納コラム３を有し、この商品収納コラム３に収納し列を形成している飲料入りの複数の飲料容器４のうち、最前列の飲料容器４を販売時に順次払い出すものであって、複数の商品収納コラム３の少なくとも１の商品収納コラム３ａ内に、飲料に代えて携帯電話用の充電器５を収容してなる飲料容器４とほぼ同様の充電器容器６を、複数収納することで、上記課題を達成出来る。【選択図】図２
2010108468.tif 000002
【特許請求の範囲】
【請求項１】
機体内に複数の商品収納コラムを有し、該商品収納コラムに収容し列を形成している飲料入りの複数の飲料容器のうち、最前列の前記飲料容器を販売時に順次払い出す自動販売機であって、前記複数の商品収納コラムの少なくとも１の商品収納コラム内に、前記飲料に代えて携帯電話用の充電器を収容してなる前記飲料容器とほぼ同様の充電器容器を、複数収納したことを特徴とする自動販売機。
【請求項２】
前記充電器容器には、前記充電器がこれの振れ防止材と共に収容されている請求項１記載の自動販売機。
【請求項３】
前記充電器容器は、紙製である請求項１または２記載の自動販売機。
【発明の詳細な説明】
【技術分野】
【０００１】  本発明は、日本全国いたるところにある飲料用の自動販売機に、携帯電話用の充電器を販売することが出来る機能を、付与した自動販売機に関する。
【背景技術】
【０００２】  携帯電話を使用していて、バッテリー切れを起こし難儀することは、われわれがしばしば体験するところである。この場合、充電器が手元にあれば、直ちに携帯電話に充電器を接続してバッテリーを充電することが出来、再び携帯電話を使用することが出来る。しかしながら、われわれは、充電器を常に携帯電話と共に持ち歩くことが少なく、仮に、充電器を持ち歩いていたとしても、電源となるコンセントがある場所に居るとは限らず、そのような場合には、携帯電話のバッテリーに充電することが出来ず、携帯電話を使用することが出来ない。【０００３】  このような現状から、電源コンセントが無くても、携帯電話のバッテリーに充電することが出来る携帯電話用の充電器が販売されている。しかし、この充電器が販売されている店は少なく、結局、バッテリー切れを起こすと、事実上携帯電話を使用することが出来なくなることが多い。したがって、外出先でバッテリー切れを起こしても、携帯電話用の充電器が容易に入手出来ることが望まれる。
【発明の開示】
【発明が解決しようとする課題】
【０００４】  上記のように、携帯電話用の充電器が容易に入手出来るようにするには、販売拠点を多くすれば良いのであるが、現状では多くの販売拠点を確保することは困難である。【０００５】  そこで、本発明は、上記事情に鑑みてなされたもので、飲料用の自動販売機が日本全国いたるところにあり、しかも人目に付きやすいことに着目し、それら既存の飲料用の自動販売機に携帯電話のバッテリー切れに直ちに対応することが出来る携帯電話用の充電器を、僅かな設定変更で販売できるようにして、多数の人目に付きやすい販売拠点を確保し、携帯電話用の充電器を手軽に確保できるようにした自動販売機を提供することを課題とする。
【課題を解決するための手段】
【０００６】  本発明は、上記課題を達成するために提案されたものであって、下記の構成からなることを特徴とするものである。
すなわち、請求項１記載の発明は、機体内に複数の商品収納コラムを有し、該商品収納コラムに収容し列を形成している飲料入りの複数の飲料容器のうち、最前列の前記飲料容器を販売時に順次払い出す自動販売機であって、前記複数の商品収納コラムの少なくとも１の商品収納コラム内に、前記飲料に代えて携帯電話用の充電器を収容してなる前記飲料容器とほぼ同様の充電器容器を、複数収納したことを特徴とする自動販売機である。【０００７】  請求項２記載の発明は、前記充電器容器には、前記充電器がこれの振れ防止材と共に収容されている自動販売機である。【０００８】  請求項３記載の発明は、紙製である自動販売機である。
【発明の効果】
【０００９】  以上詳述したように、本発明によれば、以下のような効果がある。
請求項１記載の発明は、複数の商品収納コラムのうち少なくとも１の商品収納コラム内に、携帯電話用の充電器を収容してなる飲料容器とほぼ同様の充電器容器を、複数収納してあるから、飲料を買い求めるのと同じ要領で、携帯電話用の充電器入りの充電器容器を入手できる。したがって、充電器を常に携帯電話と共に持ち歩かなくても、さらに、電源となるコンセントが見あたらなくても、日本全国いたるところにある飲料用の自動販売機にて携帯電話用の充電器を買い求めることが出来、携帯電話のバッテリーに充電出来て、外出先でのバッテリー切れに対応でき、携帯電話の使用が可能となる効果がある。【００１０】  請求項２記載の発明は、振れ防止材によって、充電器が充電器容器内で移動したり、容器壁面に衝突しない。したがって、上記の効果に加えて、充電器入りの充電器容器を輸送するとき、自動販売機に収納するとき、自動販売機から払い出すとき、利用者が扱うときなどで、振動や衝撃を与えても充電器に支障が生ずることがない効果がある。【００１１】  請求項３記載の発明は、紙製の充電器容器に充電器が当たっても衝撃が少なく、紙製の充電器容器を開封して中から充電器を取り出す際、手指が紙製の充電器容器に触れても、手指を損傷することがない。したがって、上記の効果に加えて、振動や衝撃によって充電器に支障が生ずる度合が減り、手指の損傷も無く、その上、紙製容器の特性から来るガスバリアー性の信頼度の低さに関係なく、充電器容器としての機能を全う出来、紙製容器の利用促進に資する効果がある。
【発明を実施するための最良の形態】
【００１２】  以下に、図面を参照して本発明を実施するための最良の形態を説明する。
【実施例１】
【００１３】  図１は本発明の実施の形態を示す自動販売機の正面図、図２は図１の自動販売機内の商品収納コラムの構成を示す断面図である。図面において、自動販売機１は、機体２内に複数の商品収納コラム３を有し、この商品収納コラム３に収納し列を形成している飲料入りの複数の飲料容器４のうち、最前列の飲料容器４を販売時に順次払い出すものであって、複数の商品収納コラム３の少なくとも１の商品収納コラム３ａ内に、飲料に代えて携帯電話用の充電器５を収容してなる飲料容器４とほぼ同様の充電器容器６を、複数収納したものである。【００１４】  自動販売機１は、直方体をなす機体２の一面に開閉可能な外扉１０が取り付けられてなり、この外扉１０には、その上部に商品サンプル展示部１１及び選択ボタン１２が、その下部に商品取出口１３が、これらの中間部の右側に位置して金銭投入口１４及び返却口１５が、左側に位置して商品広告部１６が、それぞれ設置されている。【００１５】  前記機体２内には、既述のとおり、複数の商品収納コラム３が垂直方向にあり、これら商品収納コラム３内には、飲料入りの飲料容器４が複数収納されて、後に詳述するような列が形成されることになる。この商品収納コラム３は、前ガイド２０及び後ガイド２１が垂直に設けられてなり、これら前ガイド２０及び後ガイド２１ともに凹凸２２ａ及び２２ｂがあり、前ガイド２０の凹凸２２ａと後ガイド２１の凹凸２２ｂとが互い違いに対向して、蛇行状の商品通路が形成されている。この商品通路の上部は商品投入口２３に繋がり、下部にはストッパー２４が商品通路内側に出没自在に設けられている。このストッパー２４の出没動作はベンドソレノイド２５により行われる。【００１６】  前記飲料容器４は、ほぼ円筒形状の金属缶あるいはペットボトルであり、商品投入口２３から商品収納コラム３内に横方向に順次投入されて、ストッパー２４より上の商品通路内に横倒し状態で蛇行状に積み重なることになる。この状態で、販売行為がなされると、ベンドソレノイド２５により、ストッパー２４が商品通路から没するから、蛇行状に積み重なって列をなしている複数の飲料容器４のうち、ストッパー２４により落下を直接止められている列最先端の飲料容器４Ａが落下してシュート２６上に落ち、このシュート２６にガイドされて、前記外扉１０下部にある商品取出口１３に払い出される。一方、列最先端の飲料容器４Ａが落下すると、直ちに、ストッパー２４が商品通路に出て次の飲料容器４Ｂの落下を阻止する。【００１７】  そして、複数ある商品収納コラム３のうち、少なくとも１の商品収納コラム３ａ内には、充電器容器６が複数収納されている。この充電器容器６は、図３に示すように、充電器５が内蔵されていて、前記飲料容器４とほぼ同様のものであり、すなわち、ほぼ同形状であり、その重量も上記した飲料容器４の投入、保持並びに払出の機構に適合する範囲内に設定されている。したがって、複数ある商品収納コラム３のうちのいずれかを選択して、その選択した商品収納コラム３ａ内に充電器５入りの充電器容器６を投入し、且つ、その充電器５入りの充電器容器６の価格に設定し直せば、全国いたるところにある、既存の飲料用の自動販売機をそのまま流用することが可能と��る。【００１８】  上記した充電器容器６に収納される充電器５は、携帯電話の充電器に充電できるものであれば、特に限定がない。すなわち、この充電器５は、図４に示すように、ケース３０内に携帯電話３１内の充電器に電力を供給する電池３２を内蔵し、さらに、ケース３０の端部３０ａに携帯電話３１内の充電器に接続するコネクター３３を設けてなるものである。充電しようとする携帯電話３１により、コネクター３３の種類が決まるから、その携帯電話３１に適合したコネクター３３を設けてある充電器５が必要となる。したがって、携帯電話３１に適合するコネクター３３が仮に３種類あるとしたら、３種類のコネクター３３をそれぞれ設けた３種類の充電器５が必要になってくる。この場合では、３つの商品収納コラム３ａが必要となって、その分、販売できる飲料の種類が減ってしまうことになる。【００１９】  あるいは、ケース３０の端部３０ａにコネクター３３自体を着脱自在とし、携帯電話３１に適合する３種類のコネクター３３を全て用意して、充電器容器６内に収納しておけば良い。すなわち、現に充電しようしようとする携帯電話３１に適合するコネクター３３を、上記の３種類から選択して、ケース３０の端部３０ａに、選択したコネクター３３を着けて、このコネクター３３を携帯電話３１に接続して充電する。この場合では、電池３２を内蔵したケース３０と３種類のコネクター３３とを充電器容器６内に収納しておけば良い。さらに、ケース３０の端部３０ａに、３種類のコネクター３３を一体的に取り付けても良い。このようにすれば、自動販売機１の複数の商品収納コラム３のうち、１つの商品収納コラム３ａを充電器５の販売用に充当させれば良いことになる。【００２０】  また、充電器容器６は、図５に示すように。充電器５がこれの振れ防止材３４と共に収容されているのが良い。この振れ防止材３４により、充電器５が充電器容器６内で移動したり、容器壁面６ａ、容器蓋面６ｂや容器底面６ｃに衝突したりしない。したがって、充電器５入りの充電器容器６を輸送しているとき、自動販売機１に収納するとき、自動販売機１から払い出すとき、利用者が扱うときなどで、充電器容器６に振動や衝撃を与えても、中にある充電器５に支障が生ずることがない。なお、振れ防止材３４は、充電器容器６の容器壁面６ａや容器底面６ｃに充電器５を固定するための粘着テープや、柔軟性のある充填材などである。この振れ防止材３４は、充電器容器６内に有って、振動や衝撃を与えても、充電器５に支障が生ずることがない様に出来るものであれば、特に限定がない。【００２１】  また、充電器容器６は、前記飲料容器４と同様に金属製、ＰＥＴ（ポリエチレンテレフタレート）などの合成樹脂製でも差し支えないが、紙製であるのが良い。紙製であると、振れ防止材３４が無いことにより、充電器５が充電器容器６に当たっても衝撃が少ない。また、紙製の充電器容器６を開封して中から充電器５を取り出す際、手指が紙製の充電器容器６の開封箇所に触れても、手指を損傷することがほとんどない。したがって、振動や衝撃によって充電器５に支障が生ずる度合が減り、手指の損傷も無く、その上、紙製容器の特性から来るガスバリアー性の信頼度の低さに関係なく、充電器容器としての機能を全う出来て、紙製容器の利用促進に資することが出来る。【００２２】  次に、上記構成になる自動販売機１の使用状況を説明する。
まず、自動販売機１の複数有る商品収納コラム３のうち、販売しようとしている充電器５の種類数と同数の商品収納コラム３から飲料容器４を除き空にして、それらに充電器５入りの充電器容器６を商品投入口２３から投入する。これに前後して、飲料の価格設定を充電器５の価格に設定し直す。これで、飲料に加えて充電器５も販売できる自動販売機１の完成となる。【００２３】  バッテリー切れした携帯電話の所持者は、全国いたるところにある飲料用の自動販売機１で、充電器５も併せて販売していれば、その商品サンプル提示部１１にて、自分の携帯電話に適合する充電器５を選び、その充電器５の価格に相当する金銭を金銭投入口１４から投入し、その選択ボタン１２を押す。そうすれば、選択された充電器５が収納されている商品収納コラム３ａのストッパー２４は、ベンドソレノイド２５により、商品収納コラム３の商品通路から没するから、蛇行状に積み重なって列をなしている複数の充電器容器６のうち、列最先端の充電器容器６Ａが落下してシュート２６に落ちて、このシュート２６にガイドされ、外扉１０下部に有る商品取出口１３に払い出される。【００２４】  バッテリー切れした携帯電話の所持者は、商品取出口１３から充電器５入りの充電器容器６を取り出し、それを開封して中の充電器５を出す。この際、充電器容器６が紙製であると、手指を損傷すること無く、また、充電器５が振れ防止材３４と共に充電器容器６内に収容されていれば、充電器５に支障が生じていることがない。そして、自分の携帯電話に充電器５を接続し充電すれば、バッテリー切れした携帯電話を再び利用することが出来る。すなわち、携帯電話の所持者は、全国いたるところにある飲料用の自動販売機１にて充電器５を容易に入手出来るから、携帯電話のバッテリー切れの恐怖から開放される。【００２５】  以上、本発明の実施例１を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００２６】  本発明の自動販売機は、携帯電話の所持者で現にバッテリー切れして充電器を探している場合、飲料の自動販売機の所有者で飲料以外のものも販売して販売効率を高めたい場合に、その利用可能性が極めて高くなる。
【図面の簡単な説明】
【００２７】
【図１】  本発明の実施の形態を示す自動販売機の正面図である（実施例１）。
【図２】  図１の自動販売機内の商品収納コラムの構成を示す断面図である（実施例１）。
【図３】  本発明の実施の形態を示す自動販売機内の商品収納コラムに収容される充電器容器の斜視図である（実施例１）。
【図４】  本発明の自動販売機により販売される充電器にて携帯電話を充電している状態の平面図である（実施例１）。
【図５】  図３と同状の充電器容器の斜視図である（実施例１）。
【符号の説明】
【００２８】１                        自動販売機
２                        機体
３、３ａ                  商品収納コラム
４、４Ａ、４Ｂ            飲料容器
５                        充電器
６、６Ａ、６Ｂ            充電器容器
６ａ                      容器壁面
６ｂ                      容器蓋面
６ｃ                      容器底面
１０                      外扉
１１                      商品サンプル展示部
１２                      選択ボタン
１３                      商品取出口
１４                      金銭投入口
１５                      返却口
１６                      商品広告部
２０                      前ガイド
２１                      後ガイド
２２ａ、２２ｂ            凹凸
２３                      商品投入口
２４                      ストッパー
２５                      ベンドソレノイド
２６                      シュート
３０                      ケース
３０ａ                    端部
３１                      携帯電話
３２                      電池
３３                      コネクター
３４                      振れ防止材
【図１】
2010108468.tif 000003
【図２】
2010108468.tif 000004
【図３】
2010108468.tif 000005
【図４】
2010108468.tif 000006
【図５】
2010108468.tif 000007